(57)【要約】【課題】通話機能を維持しつつ、電子メール等の文章および横長の画像を見易く表示すること。【解決手段】連結部１０５は、ユーザ側から見て、上部筐体１０１の下側部左端および下部筐体１０２の上側部左端に設けられ、ユーザ側から見て時計回り、もしくは反時計回りに回動自在な回動軸を内部に有する。よって、ユーザは、連結部１０５の回動軸を支点として、上部筐体１０１を下部筐体１０２に対し、時計回り／反時計回りに回動させることができる。また、この移動通信端末装置は、上部筐体１０１の方向を検知し、表示部１０３における画面表示の方向を変更し、また、表示部１０３の有効表示領域をほぼ画面全体に拡張する機能を有している。【選択図】　　　図１
2004134999.tif 000002
【特許請求の範囲】
【請求項１】
表示部を有する第１筐体と、
ユーザが入力操作を行う操作部を有する第２筐体と、
前記操作部の操作面側から見て、前記表示部が前記操作部に対し縦長の状態となる第１状態および前記表示部が前記操作部に対し横長の状態となる第２状態の間で回動自在に前記第１筐体を前記第２筐体に支持する回動手段と、
前記第１状態および前記第２状態における前記表示部の表示の方向を一致させるように、かつ、前記表示部の有効表示領域をほぼ画面全体に拡張させるように前記表示部を制御する表示制御手段と、
を有することを特徴とする移動通信端末装置。
【請求項２】
前記第１状態において互いに接触する第１金属体および第２金属体と、
前記第２状態において互いに接触する第３金属体および第４金属体と、
前記第１金属体および前記第２金属体の間で、または、前記第３金属体および前記第４金属体の間の通電状態を検出する状態検出手段と、
を有することを特徴とする請求項１記載の移動通信端末装置。
【請求項３】
他の移動通信端末装置との間で電子メールの授受を行うと共に前記表示部の画面上に電子メールの内容を表示させる電子メール機能、前記表示部の画面上に表示された文章を編集する文章編集機能、または他の移動通信端末装置との間で通信を行う通信機能のうちの少なくとも１つを有し、
前記第２状態になった際、前記電子メール機能、前記文章編集機能、または前記通信機能を起動させる起動制御手段を有する、
ことを特徴とする請求項１記載の移動通信端末装置。
【請求項４】
通話手段と、
前記第２状態において着呼した場合、前記第１状態にすると自動的に通話が開始されるように前記通話手段を制御する通話制御手段と、
を有することを特徴とする請求項１記載の移動通信端末装置。
【請求項５】
前記第１筐体が前記第１状態から前記第２状態へ回動するように前記第１筐体を付勢する付勢手段と、
前記第１筐体を前記第１状態に保持するように掛合する掛合手段と、
を有することを特徴とする請求項１記載の移動通信端末装置。
【請求項６】
前記第２筐体の前記第１筐体側側面の両端に前記回動手段をそれぞれ有することを特徴とする請求項１記載の移動通信端末装置。
【請求項７】
前記回動手段は、
前記第１筐体を前記第２筐体に対し９０度以上回動させる第１回動手段と、
前記第１回動手段によって回動された前記第１筐体を前記第２筐体に対しさらに９０度以上回動させる第２回動手段と、
を有することを特徴とする請求項１記載の移動通信端末装置。
【請求項８】
前記第２状態において、前記表示部の長手方向に前記第１筐体をスライドさせるスライド手段をさらに有することを特徴とする請求項１記載の移動通信端末装置。
【発明の詳細な説明】
【０００１】
【発明の属する技術分野】
本発明は、通話機能、通信機能、およびコンピュータ機能を有する移動通信端末装置に関する。
【０００２】
【従来の技術】
携帯電話機、コードレス電話機、またはＰＤＡ（Ｐｅｒｓｏｎａｌ　Ｄｉｇｉｔａｌ　Ａｓｓｉｓｔａｎｔ）等に代表される移動通信端末装置は、軽量で持ち運びが容易であり、いろいろな場所、状況において手軽に使用できるため、非常に利便性に富む。特に最近の携帯電話機は、電話本来の機能としての通話機能だけでなく、電子メールの交換、ＴＶ電話の相手を表示する動画像の視認等の通信機能、および、携帯電話機に搭載されたデジタルカメラによって撮影された画像の確認、インターネット上のホームページ閲覧等のコンピュータ機能をも有するようになり、さらに利便性が高まっている。
【０００３】
図１４は、従来の移動通信端末装置の構成の一例を示す図である。ここでは、移動通信端末装置として携帯電話機（携帯通信機）を例にとって説明する。図１４（ａ）は、筐体全体がストレートな構造をとるストレート型携帯電話機、図１４（ｂ）は、文章や画像などを表示する表示部およびテンキー等を有する操作部が向かい合わせに折り畳めるような構造となっている折り畳み型携帯電話機を示す斜視図である（例えば、特許文献１参照）。
【０００４】
図１４（ａ）に示す携帯電話機は、利用者が相手の音声を聞き取る受話部１１、文章や画像などを表示する表示部１２、テンキーおよびファンクションキー等を有する操作部１３、利用者が自分の声を入力する送話部１４、およびストレート型筐体１５を有する。
【０００５】
この筐体の構造は、筐体縦方向の長さを有効に活かし、表示部の画面を筐体の縦方向に長い長方形型に設置し、表示面積を広くしている。これにより、一度に表示できる文字数を増やすことが可能であり、また、画像を表示する際にも、画像を大きくすることが可能である。
【０００６】
一方、図１４（ｂ）に示す携帯電話機は、図１４（ａ）に示した携帯電話機と同様の基本的構成を有しているが、ストレート型筐体１５の代わりに、上部筐体１６、結合部１７、および下部筐体１８を有しており、上部筐体１６を下部筐体１８に対し、折り畳めるような構造となっている。
【０００７】
この筐体の構造は、電話機収納時の筐体縦方向の長さを折り畳むことにより短くすることが可能であり、使用する際には、上部筐体１６と下部筐体１８を展開状態にして、表示部１２を確認しながら操作部１３を操作することができる。下部筐体１８は、利用者が片手で握って持つことが可能な大きさに設定されており、上部筐体１６の大きさも下部筐体の大きさに合わせたものとなる場合が多い。上部筐体１６の表示部１２は、ストレート型筐体１５と同様に、表示部１２の表示面積を広くするため、画面を筐体縦方向に長く設置し、長方形型の表示画面としている。これにより、ストレート型携帯電話機と同様に、一度に表示できる文字数を増やすことが可能であり、大きい画像等を表示することも可能である。
【０００８】
【特許文献１】
特開平８−１６３２１９号公報（第２図）
【０００９】
【発明が解決しようとする課題】
しかしながら、従来の装置においては、筐体の形状上、表示部は縦長型に固定されてしまい、横書きの文章を画面に表示しながら、文章の編集を行おうとすると、１行に表示される文字数が少なくなるため、長文を表示した場合、改行が多くなり、メールの内容が読みにくくなるという問題がある。
【００１０】
また、画像を表示する場合にも、表示部の縦横比で画像の大きさが制限されてしまうため、縦長の画像を表示する場合、画像を縮小したり、一部のみを表示したりすることにより調節することになる。ＴＶ電話機能を備えた携帯電話機では、表示部の縦横比が動画画面のサイズや配置に制限を与えてしまう。
【００１１】
本発明は、かかる点に鑑みてなされたものであり、通話機能を維持しつつ、電子メール等の文章および横長の画像を見易く表示することができる移動通信端末装置を提供することを目的とする。
【００１２】
【課題を解決するための手段】
本発明の移動通信端末装置は、表示部を有する第１筐体と、ユーザが入力操作を行う操作部を有する第２筐体と、前記操作部の操作面側から見て、前記表示部が前記操作部に対し縦長の状態となる第１状態および前記表示部が前記操作部に対し横長の状態となる第２状態の間で回動自在に前記第１筐体を前記第２筐体に支持する回動手段と、前記第１状態および前記第２状態における前記表示部の表示の方向を一致させるように、かつ、前記表示部の有効表示領域をほぼ画面全体に拡張させるように前記表示部を制御する表示制御手段と、を有する構成を採る。
【００１３】
この構成によれば、移動通信端末装置の上部筐体（第１筐体）を下部筐体（第２筐体）に対し回動させることができるため、表示部を縦長型画面にも横長型画面にもすることができ、表示部が移動通信端末装置の上部筐体（第１筐体）に固定して設置されていても、表示画面の縦横比を変えることができる。また、上部筐体が下部筐体に対し屈曲状態（第２状態）にあるときは、下部筐体を握って操作する利用者の手に上部筐体が逆Ｌ字型に引っ掛かる状態となり、筐体が手から滑り落ちるのを防止することができる。
【００１４】
本発明の移動通信端末装置は、上記の構成において、前記第１状態において互いに接触する第１金属体および第２金属体と、前記第２状態において互いに接触する第３金属体および第４金属体と、前記第１金属体および前記第２金属体の間で、または、前記第３金属体および前記第４金属体の間の通電状態を検出する状態検出手段と、を有する構成を採る。
【００１５】
この構成によれば、移動通信端末装置が伸展状態（第１状態）にあるか屈曲状態にあるかを検出することができるため、上部筐体が伸展状態または屈曲状態にあるときに、表示部の表示画面に映し出される画面方向を自動的に切り替えることができる。また、どちらの状態であっても下部筐体から上部筐体へ電力を供給することが可能となる。
【００１６】
本発明の移動通信端末装置は、上記の構成において、他の移動通信端末装置との間で電子メールの授受を行うと共に前記表示部の画面上に電子メールの内容を表示させる電子メール機能、前記表示部の画面上に表示された文章を編集する文章編集機能、または他の移動通信端末装置との間で通信を行う通信機能のうちの少なくとも１つを有し、前記第２状態になった際、前記電子メール機能、前記文章編集機能、または前記通信機能を起動させる起動制御手段を有する構成を採る。
【００１７】
この構成によれば、ユーザの操作ボタンによる機能選択手順を踏むことなく、上部筐体を筐体正面横方向に折り曲げて屈曲状態にするだけで、文章編集機能を自動的に立ち上げたり、電子メールサーバへの接続やインターネット接続を自動的に行うことができる。
【００１８】
本発明の移動通信端末装置は、上記の構成において、通話手段と、前記第２状態において着呼した場合、前記第１状態にすると自動的に通話が開始されるように前記通話手段を制御する通話制御手段と、を有する構成を採る。
【００１９】
この構成によれば、上部筐体を筐体正面横方向に折り曲げた屈曲状態にして画像閲覧や文章編集を行っている最中に着信があった場合、上部筐体を伸展状態に戻すだけで容易に通話を開始することができる。
【００２０】
本発明の移動通信端末装置は、上記の構成において、前記第１筐体が前記第１状態から前記第２状態へ回動するように前記第１筐体を付勢する付勢手段と、前記第１筐体を前記第１状態に保持するように掛合する掛合手段と、を有する構成を採る。
【００２１】
この構成によれば、容易な構成により、掛合を解除するだけで上部筐体を自動的に屈曲状態にすることができる。
【００２２】
本発明の移動通信端末装置は、上記の構成において、前記第２筐体の前記第１筐体側側面の両端に前記回動手段をそれぞれ有する構成を採る。
【００２３】
この構成によれば、利用者の利き手に拠らず、上部筐体を右方向又は左方向へ折り曲げ、屈曲状態とすることができる。
【００２４】
本発明の移動通信端末装置は、上記の構成において、前記回動手段は、前記第１筐体を前記第２筐体に対し９０度以上回動させる第１回動手段と、前記第１回動手段によって回動された前記第１筐体を前記第２筐体に対しさらに９０度以上回動させる第２回動手段と、を有する構成を採る。
【００２５】
この構成によれば、上部筐体の長手方向を下部筐体の長手方向と平行な位置に達するまで上部筐体を回動させることが可能となり、筐体全体をユーザから見て横に向け、横方向になった下部筐体をそのままの方向で両手により掴んで操作部を操作しながら、表示画面を横長型画面として利用することができる。
【００２６】
本発明の移動通信端末装置は、上記の構成において、前記第２状態において、前記表示部の長手方向に前記第１筐体をスライドさせるスライド手段をさらに有する構成を採る。
【００２７】
この構成によれば、屈曲状態になった後の上部筐体を横方向にスライドさせることができるため、ユーザから表示部が見易くなる。
【００２８】
【発明の実施の形態】
本発明の骨子は、表示部を有する筐体と操作部（ユーザ入力部）を有する筐体の連結部に回動軸を設け、表示部をユーザから見て横に倒し込み、画面表示を縦長型から横長型に切り替えて表示することができるようにすることにより、通話機能、通信機能、およびコンピュータ機能を１つの移動通信端末装置の中に併存させることである。
【００２９】
以下、本発明の実施の形態について、図面を参照して詳細に説明する。なお、ここでは、移動通信端末装置として携帯電話機を例にとって説明するが、これに限定されず、例えば、コードレス電話機またはＰＤＡにも本発明は適用できる。
【００３０】
（実施の形態１）
図１は、本発明の実施の形態１に係る携帯電話機の構成の一例を示す正面図である。
【００３１】
この携帯電話機は、上部筐体１０１、下部筐体１０２、および、上部筐体１０１と下部筐体１０２を連結する連結部１０５から成る。そして、上部筐体１０１は、文章や画像等を画面上に表示する表示部１０３、および、利用者が相手の音声を聞き取る受話部１０４を有し、下部筐体１０２は、テンキーもしくはファンクションキー等から成る操作部１０６、および、利用者が自分の声を入力する送話部１０７を有する。
【００３２】
連結部１０５は、ユーザ側（表示部１０３の画面正面）から見て、上部筐体１０１の下側部左端および下部筐体１０２の上側部左端に設けられ、ユーザ側から見て時計回り、もしくは反時計回りに回動自在な回動軸を内部に有する。よって、ユーザは、図１（ａ）に示すように、連結部１０５の回動軸を支点として、上部筐体１０１を下部筐体１０２に対し、時計回り／反時計回りに回動させることができる。ここで、上部筐体１０１が、図１（ａ）に示すように、下部筐体１０２に対し真っ直ぐに位置している状態を伸展状態と呼び、上部筐体１０１が、図１（ｂ）に示すように、下部筐体１０２に対し９０度折れ曲がって位置している状態を屈曲状態と呼ぶこととする。
【００３３】
また、上記の携帯電話機は、上部筐体１０１の方向を検知、すなわち、自機が伸展状態または屈曲状態にあるか判断し、表示部１０３における画面表示の方向を変更し、また、表示部１０３の有効表示領域をほぼ画面全体に拡張する機能を有している。
【００３４】
図２は、この画面表示の切り替え機構を説明するための一部破断図である。
【００３５】
この携帯電話機は、画面正面から見て、伸展状態において、上部筐体１０１の下側部中央に第１接触感知部１５１、下部筐体１０２の上側部中央に第１給電部１５２、上部筐体１０１の左測縁部下端に第２接触感知部１５３、および下部筐体１０２の上側部左端に第２給電部１５４を有している。そして、第１給電部１５２から第１接触感知部１５１へ、または、第２給電部１５４から第２接触感知部１５３へ通電可能か否かにより、上部筐体１０１の方向を特定することができる。例えば、図２のように携帯電話機が伸展状態にある場合は、第１接触感知部１５１は、第１給電部１５２と接触している状態にあるので、第１給電部１５２から第１接触感知部１５１に対し通電が可能である。よって、この携帯電話機は、自機が伸展状態であると判断できる。
【００３６】
図３（ａ）に、本実施の形態に係る携帯電話機が屈曲状態にある場合の正面から見た一部破断図を、図３（ｂ）に、連結部１０５の周辺を右側面から見た図を示す。屈曲状態にある場合には、第２接触感知部１５３が、第２給電部１５４と接触状態にあるので、第２給電部１５４から第２接触感知部１５３に対し通電が可能である。この場合、この携帯電話機は、自機が屈曲状態にあると判断できる。
【００３７】
図４は、本実施の形態に係る携帯電話機の内部構成の一例を示すブロック図である。
【００３８】
ユーザは、アンテナ１１１、通信部１１２、受話部１０４、および送話部１０７を用いて通話を行うことができ、また、操作部１０６の出力が通信部１１２に入力されるので、電子メール等の通信を行うこともできる。これらの詳しい動作については、従来の携帯電話機と同様であるので説明を省略する。
【００３９】
本実施の形態に係る携帯電話機の内部構成の最大の特徴は、表示制御部１１４が上部筐体１０１の方向に応じて、表示部１０３における表示方向を切り替えることである。
【００４０】
状態検出部１１３は、既述の通り、第１接触感知部１５１と第１給電部１５２間、または、第２接触感知部１５３と第２給電部１５４間の通電状態により、上部筐体１０１の方向を特定することができるので、検出結果を表示制御部１１４に出力する。
【００４１】
表示制御部１１４は、状態検出部１１３から通知された上部筐体１０１の方向に基づいて、表示部１０３における表示方向を決定し、これに基づいて、通信部１１２から出力された情報を表示部１０３に出力する。例えば、伸展状態から上部筐体１０１を反時計回りに９０度回動することにより屈曲状態に移行した場合には、画面表示を時計回りに９０度回動させることに、伸展状態にあった場合と同方向の画面表示を実現する。これにより、ユーザは上部筐体１０１の方向にかかわらず、常にユーザから見て上下関係が変わらない画面表示を見ることができる。
【００４２】
このように、上記の構成により、上部筐体１０１が伸展状態にある場合と屈曲状態にある場合で、接点機構である第１接触感知部１５１および第２接触感知部１５３と、第１給電部１５２および第２給電部１５４が接する組合せが違うことを利用して、上部筐体の方向を認識し、画面表示の上下方向を自動で切り替えることができる。
【００４３】
よって、ユーザが携帯電話機の伸展状態および屈曲状態に応じて表示画面の上下方向を手動で指定することなく、表示画面を縦長型又は横長型に自動的に切り替えることができる。
【００４４】
また、上記の構成により、上部筐体１０１が伸展状態または屈曲状態にある場合でも、下部筐体１０２から表示部１０３に対し、電力を供給することができる。
【００４５】
図５は、表示部１０３に電子メール等のテキストデータが表示される場合の効果について説明した図である。
【００４６】
図５（ａ）に示すように、本実施の形態に係る携帯電話機が伸展状態にある場合、「昨日は、どうもありがとうございました。」の一文の中に改行が２回も現れることとなり、文が細切れで読みにくい状態となる。一方、図５（ｂ）に示すように屈曲状態にある場合は、改行は１回しか発生せず読みやすくなる。表示される文章がさらに長い場合は、読みやすさの差はさらに顕著となるはずである。
【００４７】
図６は、表示部１０３に横長の画像データが表示される場合の効果について説明した図である。
【００４８】
本実施の形態に係る携帯電話機が伸展状態にある場合は、横長の画像データを表示する場合、画像の縮尺を維持しようとすれば、図６（ａ）に示すように画像が画面に入りきらず、画像の左右が切れてしまうことがある。一方、画像の一部が切れてしまうことを嫌い、画面の中にこの画像を入れ込もうとする場合は、図６（ｂ）に示すように、画像を縮小して表示しなければならない。しかし、本実施の形態に係る携帯電話機を屈曲状態にすれば、図６（ｃ）に示すように、横長の画像が縮尺を維持したまま、画面上に全てを表示させることができる。
【００４９】
なお、第１接触感知部１５１および第２接触感知部１５３は、接点給電を行う際に給電可能な極板で当該部位を形成する。また、接触検知感度を向上させる場合は、押圧感知センサーや接触感知センサーで形成する。
【００５０】
このように、本実施の形態によれば、上部筐体１０１の方向を変え、携帯電話機を伸展状態または屈曲状態に切り替えることができ、また、上部筐体１０１の方向に応じて、表示部１０３の画面表示の方向を切り替えることができる。これにより、ユーザは、電話番号検索、登録内容の確認、縦長型画像の閲覧等のように、文章や画像等を縦長の画面に表示したい場合には、本実施の形態に係る携帯電話機を伸展状態とし、画面の内容を表示することができる。また、伸展状態においては、受話部１０４と送話部１０７の間が一定間隔離れた距離、すなわち、通話に適した距離に設定されているので、通話を行う際に不便を感じることもない。一方、電子メール等の長めの文章、もしくは、横長の画像等を表示したい場合、ホームページを閲覧する場合等は、この携帯電話機を屈曲状態とし、画面の内容を表示させることができる。これにより、電子メール等においては、文章の改行が少なくなるので読み易くなり、横長の画像等においては、画像の両端が切れたり、または必要以上に画像が縮小されて表示され、見にくくなることがない。
【００５１】
なお、表示画面を縦長型から横長型にした際は、表示制御部１１４は、表示部１０３を制御して、機能選択のためのメニュー画面や文章編集画面の構成も縦長型から横長型に適したものに切り替えて表示させる。
【００５２】
図４に示すように、携帯電話機が屈曲状態になったことを感知した表示制御部１１４は、通信部１１２に制御信号を送ることにより、文章編集機能やメール編集機能が自動に起動する機能を付加してもよい。これにより、利用者が操作ボタンにより手動で上記機能を選択する必要がなくなり、操作性が更に向上する。
【００５３】
また、上記の構成により、ユーザが携帯電話機を屈曲状態にするときは、電子メールの受信確認を行う場合が多いと考えられるので、筐体を屈曲状態にすると、電子メールサーバに自動接続する機能を付加してもよい。これにより、電子メール受信のための操作手順を省力化することができる。
【００５４】
さらに、ユーザが筐体を屈曲状態にして文章編集もしくは画像表示を確認している最中に、着呼（着信）があった場合は、上部筐体１０１を回動させて筐体を伸展状態にすることで自動的に通話を開始する機能を付加してもよい。これにより、通話開始のための操作ボタンを押すことなく、筐体を通常の伸展状態に戻すだけで即座に通話を開始することが可能となる。
【００５５】
また、表示部と操作部を分離することなく伸展状態および屈曲状態にすることを可能としたので、携帯性を損なうこともなく、例えば、ユーザが歩行中に伸展状態から屈曲状態に切り替えようとして、一方を誤って落下させるおそれも少ない。
【００５６】
さらに、文章編集や画像確認等を行う際は、筐体を片手の手の平で握って、親指で操作部１０６を操作する場合が多い。このとき、従来の携帯電話機では、筐体が縦に真直な形状であるため、操作部１０６を操作中に筐体全体を手の平から滑り落とす可能性がある。一方、本実施の形態に係る携帯電話機は、上部筐体１０１を折り曲げた状態で操作部１０６を操作することができるので、筐体を手の平から滑らせたとしても、利用者の手に筐体全体が逆Ｌ字型に引っ掛かる状態となり、携帯電話機が手から滑り落ちるのを防止することができる。
【００５７】
なお、携帯電話機を屈曲状態にした場合でも、受話部１０４および送話部１０７を用いて通話をすることができるように、すなわち、受話部１０４および送話部１０７に利用者が耳や口元を近付けなくても通話できるように、受話部１０４の音量を大きくしたり、送話部１０７の感度を高くする機能を実装してもよい。
【００５８】
なお、本実施の形態では、図７（ａ）に示すように、ストレート型携帯電話機を例にとって説明したが、図７（ｂ）に示すように、折り畳み型携帯電話機であってもよい。
【００５９】
このとき、図７（ｂ）に示す携帯電話機は、図７（ａ）に示した携帯電話機の構成に、さらに、支持筐体１０８および結合部１０９を有する。
【００６０】
図７（ａ）および図７（ｂ）に示した携帯電話機の異なる点は、図７（ｂ）に示した携帯電話機の筐体が折り畳める構造となっている点であるが、本実施の形態はこの差異に拠らず、上部筐体１０１を筐体正面横方向に折り曲げて、表示部１０３を横向きに設置することができる構成となっている。
【００６１】
（実施の形態２）
図８は、本発明の実施の形態２に係る携帯電話機の構成を示す一部破断図である。なお、この携帯電話機は、図１に示した携帯電話機と同様の基本的構成を有しており、同一の構成要素には同一の符号を付し、その説明を省略する。
【００６２】
本実施の形態の特徴は、上部筐体１０１を回動制御するための付勢手段であるバネ２０１、ロックスイッチ２０２、およびロック受け穴２０３を有することである。
【００６３】
図８に示す携帯電話機において、連結部１０５の回動軸には、バネ２０１が巻き付けられ、そのバネ２０１の両端は、上部筐体１０１の内面に固定支持されている。ロックスイッチ２０２は、下部筐体１０２の上側部右端に設置され、ロックスイッチ２０２の鍵の手部分が下部筐体１０２の上面に露出して、かつ、上部筐体１０１下側部右端に設置されたロック受け穴２０３に掛かるようになっている。これにより、上部筐体１０１は、伸展状態で保持される。
【００６４】
図９（ａ）は、本実施の形態に係る携帯電話機において、ロックスイッチ２０２が外れて自動回動し、屈曲状態になった場合を示す図である。携帯電話機が伸展状態にあるとき、ロックスイッチ２０２を押すと、ロック受け穴２０３に掛かっていたロックスイッチ２０２の鍵の手部分がスライドして上部筐体１０１を伸展状態に保持しなくなり、バネ２０１の付勢力によって上部筐体１０１が屈曲状態へと自動回動する。図９（ｂ）は、自動回動後の携帯電話機の連結部１０５周辺を右側面から見た図である。
【００６５】
このように、本実施の形態によれば、片手親指等でロックスイッチ２０２を押すだけで、上部筐体１０１の回動動作をバネ２０１の付勢力で行うことができる。よって、上部筐体１０１の回動動作を自動で行えるようになり、表示部１０３を横向きにするための操作性が向上する。
【００６６】
（実施の形態３）
図１０は、本発明の実施の形態３に係る携帯電話機の構成を示す一部破断図である。なお、この携帯電話機は、図１に示した携帯電話機と同様の基本的構成を有しており、同一の構成要素には同一の符号を付し、その説明を省略する。
【００６７】
本実施の形態の特徴は、第１回動軸３０１、第２回動軸３０２、回動軸支持溝３０３、スライドロック軸３０４、開口窓３０５、スライドスイッチ３０６、第１留め軸３０７、第２留め軸３０８、およびロック軸溝３０９を有し、上部筐体１０１が、ユーザ（表示部１０３の画面正面）から見て左右２方向に回動可能であることである。
【００６８】
次いで、上記構成を有する携帯電話機の動作について説明する。
【００６９】
図１０に示す携帯電話機は、上部筐体１０１の下側部に設置された第１回動軸３０１および第２回動軸３０２を、下部筐体１０２の内部に設置された回動軸支持溝３０３とスライドロック軸３０４で挟むことにより、下部筐体１０２と連結されている。バネ等による付勢力を備えた第１留め軸３０７および第２留め軸３０８は、第１回動軸３０１および第２回動軸３０２を押すように設置されている。スライドスイッチ３０６は、スライドロック軸３０４から開口窓３０５を通って外部に露出されており、左右方向にスライドさせることが可能なように取り付けられている。スライドロック軸３０４も、スライドスイッチ３０６と連動してロック軸溝３０９に沿って移動する。このとき、第１回動軸３０１および第２回動軸３０２は、スライドロック軸３０４で回動軸支持溝３０３に固定されるので、上部筐体１０１が回動することはない。
【００７０】
図１１（ａ）は、本実施の形態に係る携帯電話機の上部筐体１０１が、ユーザから見て時計方向に回動する過程にある状態を示す図である。
【００７１】
下部筐体１０２に備えたスライドスイッチ３０６を右方向にスライドすると、スライドロック軸３０４も右方向にスライドする。第２回動軸３０２との接触がなくなる位置までスライドロック軸３０４がスライドされると、第２回動軸３０２は、第２留め軸３０８に押されながら上方向に解放される。一方、第１回動軸３０１は、スライドロック軸３０４で固定された状態を維持するので、上部筐体１０１が筐体正面右方向へ回動する際の回動軸は第１回動軸３０１となる。図１１（ｂ）は、第１回動軸３０１がスライドロック軸３０４により固定されている場合の回動軸３０１周辺を側面から見た図である。
【００７２】
上部筐体１０１が回動の過程にあるとき、第２留め軸３０８は、ロック軸溝３０９を短く終端するように迫り出す。これが、スライドロック軸３０４が左側へスライドするのを防止する効果を持ち、第２回動軸３０２が元の回動軸支持溝３０３に戻り、第２留め軸３０８を押し下げるまではスライドロック軸３０４の可動範囲が第２留め軸３０８に接触するまでの範囲に限定される。
【００７３】
このように、本実施の形態によれば、上部筐体１０１の回動動作方向をユーザ（画面の正面）から見て時計回り、または、反時計回りの一方向のみに限定されることなく、両方向へ自在に回動することが可能となる。
【００７４】
例えば、利用者の利き手が右手であり、右手により操作部を操作する場合は、利き手ではない左手により、上部筐体１０１を反時計回り、ユーザから見て左側へ回動させることが可能であり、利便性が増す。また、利用者が左手により操作部を操作する場合は、右手により、上部筐体１０１を時計回り、ユーザから見て右側へ回動させることも可能となる。
【００７５】
なお、スライドスイッチ３０６がどの位置に動かされたとしても、必ず１つ以上の回動軸がスライドロック軸３０４で固定されるので、利用者の利き手に応じて、上部筐体１０１を下部筐体１０２から離反させることなく回動させることができ、表示画面を利き手とは逆の方向へ向けて、利用者が確認しやすい側に表示画面を位置させることを可能とする。
【００７６】
（実施の形態４）
図１２は、本発明の実施の形態４に係る携帯電話機の構成を示す斜視図である。図１２（ａ）は、本実施の形態に係る携帯電話機が、ストレート型構造を有する場合を示す斜視図であり、図１２（ｂ）は、本実施の形態に係る携帯電話機が、折り畳み型構造を有する場合を示す斜視図である。なお、この携帯電話機は、図１に示した携帯電話機と同様の基本的構成を有しており、同一の構成要素には同一の符号を付し、その説明を省略する。
【００７７】
本実施の形態の特徴は、２つの回動軸４０１、４０３、および、回動支持部４０２をさらに有し、上部筐体を下部筐体と平行な位置まで回動させることが可能なことである。
【００７８】
図１２（ａ）に示す携帯電話機は、上部筐体１０１の下側部左端に設けられた上側回動軸４０１、下部筐体１０２の上側部左端に設けられた下側回動軸４０３、および、上部筐体１０１および下部筐体１０２を回動自在に支持する回動支持部４０２を有する。
【００７９】
図１２（ｂ）に示す携帯電話機は、上部筐体１０１の下側部左端に設けられた上側回動軸４０１、支持筐体１０８の上側部左端に設けられた下側回動軸４０３、上部筐体１０１と支持筐体１０８を画面正面から見て反時計回り方向に回動可能なように支持する回動支持部４０２、および、支持筐体１０８と下部筐体１０２を折り畳み可能なように結合する結合部４０４を有する。
【００８０】
図１２（ａ）および図１２（ｂ）に示す携帯電話機は、２つの回動軸を有し、１つの回動軸において９０度の回動が可能であるので、上部筐体１０１を画面正面から見て反時計回り方向に１８０度回動させることが可能となる。よって、上部筐体１０１と下部筐体１０２が平行に位置することとなる。このとき、ユーザは、筐体全体を上部筐体１０１の回動方向とは逆方向に９０度回して、両手で携帯電話機を持ち、携帯電話機の操作を行うことができるようになる。
【００８１】
これにより、ユーザから見て、表示画面は横長型画面となり、筐体全体を横向きにして操作することができる。また、このとき、操作部１０６の操作ボタンの割り当てを替える機能を付加しても良い。
【００８２】
例えば、近年の携帯電話機は、利用者の趣向に合ったアプリケーションを搭載することが可能である。上記の構成によれば、ゲーム機能等を利用する際は、本実施の形態に係る携帯電話機で携帯ゲーム機と同じような操作性が得られる。また、両手親指で操作部１０６を操作するようにすれば、２つの操作ボタンを同時に押す等の細かい操作も可能となる。
【００８３】
（実施の形態５）
図１３は、本発明の実施の形態５に係る携帯電話機の構成の一例を示す一部破断図である。なお、この携帯電話機は、図１に示した携帯電話機と同様の基本的構成を有しており、同一の構成要素には同一の符号を付し、その説明を省略する。
【００８４】
本実施の形態の特徴は、図１に示した携帯電話機の連結部１０５の回動軸が、屈曲状態における上部筐体１０１の下側部に設置された回動軸スライド溝５０１に接続されている点、すなわち、上部筐体を画面正面反時計回り方向に回動させた後に、上部筐体１０１をユーザから見て右方向にスライドさせて、表示画面を携帯電話機の中央方向に移動させることができる点である。
【００８５】
これにより、表示画面を横長型画面に切り替えた後、ユーザが画面を確認しやすいように、携帯電話機中央に表示画面を寄せることが可能である。
【００８６】
【発明の効果】
以上説明したように、本発明によれば、通話機能を維持しつつ、表示画面を縦長または横長に切り替えることができ、電子メール等の文章および横長の画像を見易く表示することができる。
【図面の簡単な説明】
【図１】（ａ）本発明の実施の形態１に係る携帯電話機の構成の一例を示す正面図
（ｂ）本発明の実施の形態１に係る携帯電話機の構成の一例を示す正面図（屈曲状態）
【図２】本発明の実施の形態１に係る携帯電話機の画面表示の切り替え機構を説明するための一部破断図
【図３】（ａ）本発明の実施の形態１に係る携帯電話機が屈曲状態にある場合の正面から見た一部破断図
（ｂ）本発明の実施の形態１に係る携帯電話機が屈曲状態にある場合の連結部の周辺を右側面から見た図
【図４】本発明の実施の形態１に係る携帯電話機の内部構成の一例を示すブロック図
【図５】本発明の実施の形態１に係る携帯電話機の表示部にテキストデータが表示される場合の効果について説明した図
【図６】本発明の実施の形態１に係る携帯電話機の表示部に横長の画像データが表示される場合の効果について説明した図
【図７】（ａ）本発明の実施の形態１に係る携帯電話機がストレート型携帯電話機である場合を示す斜視図
（ｂ）本発明の実施の形態１に係る携帯電話機が折り畳み型携帯電話機である場合を示す斜視図
【図８】本発明の実施の形態２に係る携帯電話機の構成を示す一部破断図
【図９】（ａ）本発明の実施の形態２に係る携帯電話機が屈曲状態になった場合を示す図
（ｂ）本発明の実施の形態２に係る携帯電話機の自動回動後の連結部周辺を右側面から見た図
【図１０】本発明の実施の形態３に係る携帯電話機の構成を示す一部破断図
【図１１】（ａ）本発明の実施の形態３に係る携帯電話機の上部筐体がユーザから見て時計方向に回動する過程にある状態を示す図
（ｂ）本発明の実施の形態３に係る携帯電話機の回動軸周辺を側面から見た図
【図１２】（ａ）本発明の実施の形態４に係るストレート型携帯電話機の構成を示す斜視図
（ｂ）本発明の実施の形態４に係る折り畳み型携帯電話機の構成を示す斜視図
【図１３】本発明の実施の形態５に係る携帯電話機の構成の一例を示す一部破断図
【図１４】従来の移動通信端末装置の構成の一例を示す図
【符号の説明】
１０１　上部筐体
１０２　下部筐体
１０３　表示部
１０４　受話部
１０５　連結部
１０６　操作部
１０７　送話部
１０８　支持筐体
１０９　結合部
１１１　アンテナ
１１２　通信部
１１３　状態検出部
１１４　表示制御部
１５１　第１接触感知部
１５２　第１給電部
１５３　第２接触感知部
１５４　第２給電部
２０１　バネ
２０２　ロックスイッチ
２０３　ロック受け穴
３０１　第１回動軸
３０２　第２回動軸
３０３　回動軸支持溝
３０４　スライドロック軸
３０５　開口窓
３０６　スライドスイッチ
３０７　第１留め軸
３０８　第２留め軸
３０９　ロック軸溝
４０１　上側回動軸
４０２　回動支持部
４０３　下側回動軸
５０１　回動軸スライド溝
【図１】
2004134999.tif 000003
【図２】
2004134999.tif 000004
【図３】
2004134999.tif 000005
【図４】
2004134999.tif 000006
【図５】
2004134999.tif 000007
【図６】
2004134999.tif 000008
【図７】
2004134999.tif 000009
【図８】
2004134999.tif 000010
【図９】
2004134999.tif 000011
【図１０】
2004134999.tif 000012
【図１１】
2004134999.tif 000013
【図１２】
2004134999.tif 000014
【図１３】
2004134999.tif 000015
【図１４】
2004134999.tif 000016